(57)【要約】【課題】  動画像を簡易な操作で所望のフレーム特定データのフレームから再生開始できるようにする。【解決手段】  記録媒体（１１２）にはクリップデータ（１１３）が格納され、各クリップデータ（１１３）は、動画像データ（１１４）と、動画像データ（１１４）の所望のフレーム位置を示すフレーム特定データ（１１６）を具備する。システム制御部（１０３）は、フレーム特定データ制御部（１０７）を介して記録媒体（１１２）から各クリップデータ（１１３）についてフレーム特定データの個数を取得し、モニタ（１１９）に当該クリップデータの代表画と個数を表示する。ユーザが何れかのクリップの何れかのフレーム特定データを選択すると、システム制御部（１０３）は、再生制御部（１０４）により選択されたフレーム特定データの属するクリップを、選択されたフレーム特定データの示すフレームから再生する。【選択図】  図１
2014078912.tif 000002
【特許請求の範囲】
【請求項１】
時間軸上の一を示す１以上のフレーム特定データを付加された動画像を再生する動画像再生装置であって、
前記動画像の前記フレーム特定データのデータ個数を取得する取得手段と、
前記データ個数を表示する表示手段と、
前記１以上のフレーム特定データの中から１つのフレーム特定データを選択する選択手段と、
前記選択手段により選択されたフレーム特定データが示すフレームから前記動画像を再生する再生手段
とを有することを特徴とする動画像再生装置。
【請求項２】
前記選択手段は、前記フレーム特定データに時系列順に付加されているデータ番号を選択することにより、前記１つのフレーム特定データを選択することを特徴とする請求項１に記載の画像再生装置。
【請求項３】
前記表示手段は、前記データ番号と前記データ個数を同時に表示することを特徴とする請求項２に記載の画像再生装置。
【請求項４】
前記表示手段は、前記データ番号と前記データ個数を分数の形式で表示することを特徴とする請求項３に記載の画像再生装置。
【請求項５】
前記表示手段は、前記選択手段による選択操作時には前記データ番号を表示し、前記選択操作時以外には前記データ個数を表示することを特徴とする請求項２に記載の画像再生装置。
【請求項６】
前記表示手段は、前記データ番号と前記データ個数の表示を切り替える際に表示文字の色を変更することを特徴とする請求項５に記載の画像再生装置。
【請求項７】
前記表示手段は、前記選択手段による前記データ番号の選択操作時にサムネイル画像を前記データ番号に対応する画像に変更して表示することを特徴とする請求項２乃至６の何れか１項に記載の画像再生装置。
【請求項８】
前記選択手段は、前記表示手段と同じ表示領域に設定されることを特徴とする請求項２乃至７の何れか１項に記載の画像再生装置。
【請求項９】
更に、前記動画像に前記フレーム特定データを追加する手段を具備することを特徴とする請求項２乃至８の何れか１項に記載の画像再生装置。
【請求項１０】
前記選択手段は、選択操作を実行する度に、前記データ番号を１ずつ変更することを特徴とする請求項２乃至９の何れか１項に記載の画像再生装置。
【請求項１１】
前記選択手段は、選択操作をマウスクリックで行うことを特徴とする請求項１０に記載の画像再生装置。
【請求項１２】
前記選択手段は、選択操作の操作量に応じて前記データ番号の変更量を変更することを特徴とする請求項２乃至９の何れか１項に記載の画像再生装置。
【請求項１３】
前記選択手段は、選択操作をマウスドラッグで行う手段であることを特徴とする請求項１２に記載の画像再生装置。
【請求項１４】
前記選択手段は、選択操作をスクロールホイールで行う手段であることを特徴とする請求項１２に記載の画像再生装置。
【請求項１５】
前記選択手段は、データ番号を指定する手段であることを特徴とする請求項２乃至９の何れか１項に記載の画像再生装置。
【請求項１６】
前記選択手段は、キーボードで前記データ番号を入力する手段であることを特徴とする請求項１５に記載の画像再生装置。
【請求項１７】
時間軸上の一を示す１以上のフレーム特定データを付加された動画像を再生する動画像再生装置を制御する方法であって、
前記動画像の前記フレーム特定データのデータ個数を取得する取得ステップと、
前記データ個数を表示手段に表示する表示ステップと、
前記１以上のフレーム特定データの中から１つのフレーム特定データを選択する選択ステップと、
前記選択ステップにより選択されたフレーム特定データが示すフレームから前記動画像を再生する再生ステップ
とを有することを特徴とする動画像再生装置の制御方法。
【請求項１８】
時間軸上の一を示す１以上のフレーム特定データを付加された動画像を再生する動画像再生装置を制御するプログラムであって、前記動画像再生装置の制御手段を、
前記動画像の前記フレーム特定データのデータ個数を取得する取得手段と、
前記データ個数を表示手段に表示する表示手段と、
前記１以上のフレーム特定データの中から１つのフレーム特定データを選択する選択手段と、
前記選択手段により選択されたフレーム特定データが示すフレームから前記動画像を再生する再生手段
として機能させることを特徴とする動画像再生装置の制御プログラム。
【請求項１９】
時間軸上の一を示す１以上のフレーム特定データを付加された動画像を再生する動画像再生装置を制御するプログラムを読み出し可能に記録する記録媒体であって、前記プログラムが、前記動画像再生装置の制御手段を、
前記動画像の前記フレーム特定データのデータ個数を取得する取得手段と、
前記データ個数を表示手段に表示する表示手段と、
前記１以上のフレーム特定データの中から１つのフレーム特定データを選択する選択手段と、
前記選択手段により選択されたフレーム特定データが示すフレームから前記動画像を再生する再生手段
として機能させるものである記録媒体。
【発明の詳細な説明】
【技術分野】
【０００１】
本発明は動画像再生装置、動画像再生装置の制御方法及びプログラム並びに記録媒体に関し、特に、メタデータが付加された動画像を再生する動画像再生装置、動画像再生装置の制御方法及びプログラム並びに記録媒体に関する。
【背景技術】
【０００２】
近年の動画像再生装置では、ユーザが視聴する動画像データの他に、その動画像データに付加するデータを持ち、各種機能に活用している。その動画像データに付随するデータを、一般的にメタデータと呼称している。
【０００３】
例えば、動画像データに対する操作履歴や操作回数を動画像データに付加するメタデータとして持ち、それら操作履歴や操作回数を表示できるものがある（例えば、特許文献１参照）。動画像データに対する操作を表す操作コマンドＩＤで構成した操作データを作成し、操作データで構成された操作履歴の表示手段を備える。その表示手段は、操作コマンドＩＤの操作回数を表示する。
【０００４】
また、再生回数を表示することは、パーソナルコンピュータ上で実行される、音楽再生アプリケーション等で、一般的に行われている。音楽再生アプリケーションの代表例としては、米国のアップル社が提供するｉＴｕｎｅｓ（登録商標）等が知られている。
【０００５】
メタデータには上述した操作履歴や操作回数のほかにも、様々な種類がある。動画像データは複数の静止画像を一般的には１秒間あたり２４回乃至６０回で連続表示することで、動きのある画像をユーザに見せるものである。その、動画像データに含まれる一画面の静止画像を一般的にはフレームと呼称する。すなわち、動画像データは、複数のフレームが時系列順に連続して格納されたデータである。その、時系列順に連続して格納される複数のフレーム中、特定のフレームに目印すなわちマークをつけたい場合がある。そのような、フレームを特定するデータをフレーム特定データと呼称する。
【０００６】
動画像データの中には複数のフレームが存在するので、フレーム特定データも、複数のフレームに付加できるようにするのが一般的である。フレーム特定データの用法としては、動画像データの中で特に重要なフレームに単にマークを付加するものがある。その場合、マークを付加するユーザが、そのマークに特定の意味を関連付けている。例えば、野球やサッカー等の球技スポーツを収録した動画像で、得点を得た場面にフレーム特定データであるマークを付加する。ビデオカメラ等で撮影中にマーク付加する場合もあれば、撮影後に動画像再生装置にて撮影内容を確認しながら、マークを付加する場合もある。得点を得る場面は球技スポーツにて一般的には重要な場面であると考えられ、その重要な場面にマークをつける。
【０００７】
その付加されたマークは、動画像再生装置の表示画面上で時間軸と共に図示表示される。複数のマークが付加されている場合は、時間軸上のどの位置にマークが付加されているのかが判るように図示表示される。そして、動画像を視聴するユーザは、図示されたマークの中から任意のマークを選択する。任意のマークを選択後、特定の操作により、マークが付加されたフレームから動画像を再生する。このように、フレーム特定データマークは、動画像データに含まれる複数のフレームの中から、特定のフレームを検索する為に利用される。
【先行技術文献】
【特許文献】
【０００８】
【特許文献１】特開２００２−３４４８４９号公報
【発明の概要】
【発明が解決しようとする課題】
【０００９】
従来の動画像再生装置では、限られた表示領域を有効活用する為、複数の動画像の縮小代表画像の一覧を表示し、その中から特定の動画像を選択する。そして、その選択された特定の動画像を再生表示領域に表示し、時間軸上にフレーム特定データを図示表示する。選択されていない他の動画像については、フレーム特定データを表示することができない。
【００１０】
全ての動画像について同様にフレーム特定データを時間軸で図示表示しようとすると、表示領域を多く使用することになる。しかし、表示が煩雑になり、視認性と操作性が悪化する場合がある。これは、例えば、限られた表示面積を利用するノート型パーソナルコンピュータ等のように、表示面積が限られる場合に、より顕著となる。
【００１１】
この問題は、時間軸上にフレーム特定データを図示表示する場合の他、フレーム特定データを一覧リストとして表示する場合でも、同様である。
【００１２】
また、選択されていない動画像についてフレーム特定データが表示されていないと、フレーム特定データを用いてフレーム検索を行うことができず、従って、特定のフレームを即座に再生することも出来ない。
【００１３】
本発明は、このような状況に鑑み、複数の動画像の一覧表示で非選択の動画像についてもフレーム特定データの付加状況を把握できる動画像再生装置、動画像再生装置の制御方法及びプログラム並びに記録媒体を提示することを目的とする。
【００１４】
本発明はまた、複数の動画像の一覧表示で非選択の動画像についてもフレーム特定データを選択して該当フレームを再生できる動画像再生装置、動画像再生装置の制御方法及びプログラム並びに記録媒体を提示することを目的とする。
【課題を解決するための手段】
【００１５】
上記目的を達成するため、本発明に係る動画像再生装置は、時間軸上の一を示す１以上のフレーム特定データを付加された動画像を再生する動画像再生装置であって、前記動画像の前記フレーム特定データのデータ個数を取得する取得手段と、前記データ個数を表示する表示手段と、前記１以上のフレーム特定データの中から１つのフレーム特定データを選択する選択手段と、前記選択手段により選択されたフレーム特定データが示すフレームから前記動画像を再生する再生手段とを有することを特徴とする。
【発明の効果】
【００１６】
本発明によれば、動画像に付加されているフレーム特定データの個数を把握できる。自ら付加したフレーム特定データであれば、その示すフレーム位置も容易に把握できるので、フレーム特定データの示す所望フレーム位置からの再生を容易に実現できる。
【図面の簡単な説明】
【００１７】
【図１】本発明の一実施例の概略構成ブロック図である。
【図２】本実施例の画面構成例の説明図である。
【図３】データ構成の説明図である。
【図４】本実施例の再生処理手順のフローチャートである。
【図５】本実施例の別の画面構成例の説明図である。
【図６】図５に対応する再生処理手順のフローチャートである。
【図７】本実施例の更に別の画面構成例の説明図である。
【図８】本実施例の更に別の画面構成例の説明図である。
【発明を実施するための形態】
【００１８】
以下、図面を参照して、本発明の実施例を詳細に説明する。
【実施例１】
【００１９】
図１は、本発明に係る動画像再生装置の一実施例の概略構成ブロック図を示す。図１に示す動画像再生装置１０１において、１０２はユーザ操作部であり、キーボード、マウス等のユーザ操作を検出する部材で構成される。１０３はマイクロコンピュータ等からなるシステム制御部であり、ユーザ操作部１０２によるユーザ操作を解析し、その解析結果に基づき、動画像再生装置１０１の各部を制御する。
【００２０】
１０４は再生制御部であり、システム制御部１０３からの制御信号に基づき、再生処理の制御を行う。１０５は動画像データ管理部であり、再生制御部１０４においてデータ管理に関する処理を行う。１０６は動画像再生処理部であり、再生制御部１０４において動画像再生に関する処理を行う。
【００２１】
１０７はフレーム特定データ制御部であり、システム制御部１０３からの制御信号に基づき、フレーム特定データに関する制御を行う。１０８はフレーム特定データ選択部であり、フレーム特定データ制御部１０７においてフレーム特定データを選択する処理を行う。１０９はフレーム特定データ個数取得部であり、フレーム特定データ制御部１０７においてフレーム特定データの個数を取得する処理を行う。１１０はフレーム特定データ解析部であり、フレーム特定データ制御部１０７においてフレーム特定データの解析を行う。具体的には、フレーム特定データ解析部１０は、フレーム特定データに設定されたタイムコード値を取得する。
【００２２】
１１１は記録媒体制御部であり、動画像データ管理部１０５からの指示により記録媒体１１２から動画像データ１１４及び管理データ１１５を含むクリップデータ１１３を読み出し、読み出した動画像データを動画像データ管理部１０５に送信する。記録媒体１１２としては、ハードディスク、ＤＶＤ（商標）やＢｌｕＲａｙ（商標）等の光ディスク、又は、半導体メモリカード等が用いられる。クリップデータ１１３は、一続きの動画像の再生の単位となるデータ群である。１１４は実際に再生し視聴される動画像データである。１１５は管理データであり、動画像データ１１４に関する各種データからなる。１１６はフレーム特定データであり、管理データ１１５に含まれる項目の１つである。動画像データ１１４と管理データ１１５を合わせて、クリップデータ１１３として扱う。動画像データ１１４には１以上のフレーム特定データ１１６が付加されているものとする。
【００２３】
１１７は表示制御部であり、動画像再生処理部１０６から供給される再生画像データを表示用に処理し、モニタ表示回路１１８に供給する。表示制御部１１７はまた、フレーム特定データ制御部１０７からデータ個数およびデータ番号の情報を受け取り、表示の為の制御に利用する。画面の構成に適合するように、表示制御部１１７は、これらの受け取った画像データおよび数値データを処理して、表示画面全体を構成する表示用画像データを生成する。１１８はモニタ表示回路であり、表示制御部１１７で生成された表示用画像データをモニタ表示用に変換し、モニタ１１９に供給する。モニタ１１９は、モニタ表示回路１１８からの信号に従い画像を表示する。
【００２４】
図２は、モニタ１１９に表示される画面の構成例を示す。２０１は画面全体を示す。２０２はクリップ一覧表示領域であり、記録媒体１１２に記録されているクリップデータの一覧を表示する為の領域である。２０３、２０４、２０５はサムネイル代表画像であり、各クリップの動画像を構成するフレームの中から、そのクリップを代表するフレームを静止画像として表示する。図２に示す例では、クリップ一覧表示領域２０２に３つのクリップデータを表示している。
【００２５】
２０６、２０７、２０８はフレーム特定データアイコンであり、クリップデータにフレーム特定データが記録されている場合に、このアイコンが表示される。また、フレーム特定データのデータ個数とデータ番号が数値で同時に表示される。データ個数とデータ番号は、分数形式で表示され、分母がデータ個を示し、分子がデータ番号を示す。
【００２６】
２０９はクリップ選択枠である。サムネイル代表画像２０３、２０４、２０５のいずれかをユーザ操作部１０２にて選択操作すると、そのサムネイル代表画像で示されるクリップが選択状態となるが、クリップ選択枠２０９は、そのように選択されていることを示す。図２では、サムネイル代表画像２０５が選択されている。
【００２７】
２１０は動画像再生領域である。クリップ選択枠２０９で選択されたクリップの再生をユーザが指示すると、該当する動画像が動画像再生領域２１０に表示される。２１１はスライダーバー、２１２はスライダーである。スライダー２１２は、スライダーバー２１１の表示範囲内で左右方向に移動可能である。スライダーバー２１１の左右方向の全長は、選択されたクリップの時間軸上の全体を示す。スライダーバー２１１の左端はクリップの先頭フレームを示し、右端はクリップの最終フレームを示す。スライダー２１２がスライダーバー２１１の上で表示される位置は、当該クリップの、時間軸上の再生されているフレーム位置に対応する。クリップを再生開始するとき、スライダー２１２はスライダーバー２１１の左端に位置する。クリップを再生中、再生するフレームが進行すると共にスライダー２１２の位置は次第に右側に移動していく。
【００２８】
スライダー２１２の移動については、実際のフレームの再生位置と、スライダーバー２１１に対するスライダー２１２の位置は比例するように制御される。例えば、記録時間が３０分のクリップの場合、先頭フレームから再生開始して１２分経過した時、記録時間のうち４０％を再生したことになる。その時、スライダー２１２の表示位置は、スライダーバー２１１の左右方向の全長に対して、左端から４０％の位置となる。
【００２９】
２１３、２１４、２１５はフレーム特定データマークである。本実施例では、フレーム特定データは、顔検出したフレームに対して付加済みの状態であるとする。フレーム特定データは、特定のフレームを指定するデータであるが、スライダー２１２の場合と同様、フレーム位置とマーク位置が比例するように表示される。例えば、記録時間が３０分のクリップの場合、先頭フレームから９分間経過したフレーム位置がフレーム特定データで指定されている場合、スライダーバー２１１の左右方向の全長に対して、左端から３０％の位置にフレーム特定データマークが表示される。図２では、フレーム特定データが３箇所のフレームに対して指定されている。
【００３０】
２１６は先頭フレームボタンである。システム制御部１０３は、ユーザ操作部１０２による先頭フレームボタン２１６の押下操作を検出すると、動画像再生領域２１０に再生するフレームを先頭フレームとする。２１７は逆フレーム送りボタンである。システム制御部１０３は、ユーザ操作部１０２による逆フレーム送りボタン２１７の押下操作を検出すると、動画像再生領域２１０に再生するフレームを、現在のフレーム位置から１つ前のフレームに変更する。
【００３１】
２１８は再生停止ボタンである。システム制御部１０３は、ユーザ操作部１０２による再生停止ボタン２１８の押下操作を検出すると、押下操作検出前が再生停止状態であれば再生実行開始し、再生実行状態であれば再生停止する、いわゆるトグル的な操作を行う。尚、再生停止ボタン２１８の押下操作で実行されるのは、実時間での再生、いわゆる１倍速再生である。以降、１倍速再生を、単に「再生」と表記する。また、再生停止操作時は、停止操作時点で動画像再生領域２１０に表示していた画像をそのまま表示し続ける状態とする。いわゆる一時停止状態である。以降、これを単に「停止」と表記する。
【００３２】
２１９は順フレーム送りボタンである。システム制御部１０３は、ユーザ操作部１０２による順フレーム送りボタン２１９の押下操作を検出すると、動画像再生領域２１０に再生するフレームを、現在のフレーム位置から１つ後のフレームに変更する。２２０は最終フレームボタンである。システム制御部１０３は、ユーザ操作部１０２による最終フレームボタン２２０の押下操作を検出すると、動画像再生領域２１０に再生するフレームを最終フレームとする。
【００３３】
図３は、記録媒体１１２に記録されるデータのデータ構造例を示す。記録媒体１１２には、クリップデータ１１３、動画像データ１１４、管理データ１１５及びフレーム特定データ１１６が記録される。
【００３４】
３０１はクリップデータであり、図１に示すクリップデータ１１３に対応する。３０２は動画像データであり、図１に示す動画像データ１１４に対応する。動画像データ３０２には「ＡＡ０１」という動画像データ名が付与されている。３０３は管理データであり、図１に示す管理データ１１５に対応する。管理データ３０３には、動画像データ名３０４及びフレーム特定データ３０５の２種類のデータが格納されている。動画像データ名３０４は、動画像データ３０２と管理データ３０３との対応を明確にする為に記録されている。
【００３５】
フレーム特定データ３０５は、図１に示すフレーム特定データ１１６に対応する。３０６はタイムコード、３０７はフレーム特定データ番号である。フレーム特定データ３０５はリスト構造になっており、タイムコード３０６とフレーム特定データ番号３０７がリストの項目となる。タイムコード３０６は、フレーム特定データ３０５がどのフレームに付与されているのかを、タイムコードで示している。例えば、タイムコード「００：０３：２２：０１」は、３分２２秒１フレームの位置にフレーム特定データが付与されていることを示す。フレーム特定データ番号３０７は、タイムコード順、すなわち時系列順に、各フレーム特定データに番号を付与している。ちなみに、リストは常に時系列順に整列されるとは限らない。リストは実際にはメモリ上に配置されるもので、リスト上のある項目を削除すると、その箇所は空欄となり、次回リストに追加をおこなった場合、その空欄箇所に追加する場合があるからである。
【００３６】
図３では、３行分のリスト（又はエントリ）３０８、３０９、３１０が存在する例を示す。その各１行がフレーム特定データ１個に対応している。リスト３０９が、図２に示すフレーム特定データマーク２１３に対応する。リスト３０８が、図２に示すフレーム特定データマーク２１４に対応する。リスト３１０が、図２に示すフレーム特定データマーク２１５に対応する。
【００３７】
図４は、システム制御部１０３で実行される再生処理の手順を示すフローチャートである。図４に示すフローチャートに対応する制御プログラムが、システム制御部１０３にロードされ、実行される。
【００３８】
Ｓ４０１は、再生処理制御の開始点を示す。Ｓ４０２で、システム制御部１０３は、フレーム特定データ選択番号に初期値として１を設定する。これは、フレーム特定データの初期選択状態が、時系列上で１番目のフレーム特定データが選択された状態になっているという意味である。
【００３９】
Ｓ４０３で、システム制御部１０３は、記録媒体１１２に記録された各クリップのフレーム特定データ個数を取得する。具体的には、図３に示すフレーム特定データ３０５で示されるリストの行数を計数することにより、フレーム特定データ個数を取得する。
【００４０】
Ｓ４０４で、システム制御部１０３は、記録媒体１１２に記録された各クリップのフレーム特定データにデータ番号を付与する。具体的には、図３に示すフレーム特定データ３０５で示されるリストのフレーム特定データ番号３０７にデータ番号を付与する。付与するにあたっては、タイムコード３０６の値に従い、時系列順となるようにデータ番号を付与する。
【００４１】
Ｓ４０５で、システム制御部１０３は、フレーム特定データアイコンとフレーム特定データ個数を表示する。Ｓ４０６で、システム制御部１０３は、フレーム特定データ選択番号に対応したサムネイル画像を取得する。具体的には、システム制御部１０３は、図３に示すフレーム特定データ３０５により現在のフレーム特定データ選択番号（例えば１）と一致するフレーム特定データ番号を検索する。図３に示す例では、フレーム特定データの２行目のリスト３０９となる。そして、システム制御部１０３は、フレーム特定データ番号が該当するリスト上の列から、その該当するタイムコードを読み取る。この場合は、００：０３：２２：０１となる。システム制御部１０３は、読み取ったタイムコードに該当するフレームを図３に示す動画像データ３０２からサムネイル画像として取得する。
【００４２】
Ｓ４０７で、システム制御部１０３は、Ｓ４０６で取得したサムネイル画像をモニタ１１９に表示させ、Ｓ４０８で、フレーム特定データ選択番号をモニタ１１９に表示させる。
【００４３】
Ｓ４０９で、システム制御部１０３は、フレーム特定データアイコンをユーザがクリックしたかどうかチェックする。「はい」であれば、システム制御部１０３は、Ｓ４１０に進み、フレーム特定データ選択番号に１を加算し、再度Ｓ４０８を実行し、フレーム特定データ選択番号をモニタ１１９に再表示させる。「いいえ」であれば、システム制御部１０３は、Ｓ４１１に進む。
【００４４】
Ｓ４１１で、システム制御部１０３は、サムネイル代表画像をユーザがクリックしたかどうかをチェックする。「いいえ」であれば、システム制御部１０３は、再度、Ｓ４０９に進む。「はい」であれば、システム制御部１０３は、Ｓ４１２に進む。Ｓ４１２では、システム制御部１０３は、サムネイルをクリックされたクリップのフレーム特定データ選択番号に対応するフレームを選択してモニタ１１９に再生表示させる。具体的には、システム制御部１０３は、図３に示すフレーム特定データ３０５で、現在のフレーム特定データ選択番号（例えば２）と一致するフレーム特定データ番号を検索する。この場合は、フレーム特定データの１行目のリスト３０８となる。そして、システム制御部１０３は、フレーム特定データ番号が該当したリスト上の列から、その該当するタイムコードを読み取り。この場合は、００：０６：０９：２２となる。システム制御部１０３は、読み取ったタイムコードに該当するフレームを図３に示す動画像データ３０２から取得し、そのフレームを再生開始フレームとして再生開始する。
【００４５】
Ｓ４１０は、処理の終わりを示す。
【００４６】
フレーム特定データの個数をクリップ一覧表示領域に表示するので、画面下部のスライダーバー上にフレーム特定データが表示されない非選択のクリップに対しても、ユーザはフレーム特定データが何個記録されているのかを把握できる。また、フレーム特定データアイコンをクリックすることにより、フレーム特定データの選択が可能となる。更には、クリップを選択してからフレーム特定データを選択するという手順を踏まずに、各クリップの各フレーム特定データを直接選択して対応するフレームから直接再生することが可能となる。即ち、所望のシーンの所望の画面からの再生を迅速に開始できる。
【実施例２】
【００４７】
図５は、モニタ１１９に表示される別の画面構成例を示す。５０１、５０２、５０３はフレーム特定データアイコンである。第１実施例ではデータ番号とデータ個数とを分数表示していたが、この実施例では、初期的にデータ個数のみを表示する。５０４、５０５、５０６はデータ番号である。本実施例では、サムネイル代表画像２０３、２０４、２０５にそれぞれデータ番号５０４、５０５、５０６を重畳して表示している。フレーム特定データアイコン５０１、５０２、５０３のいずれかをクリックすると、データ番号５０４、５０５、５０６が更新される。更新されると共に、サムネイル代表画像２０３、２０４、２０５がデータ番号５０４、５０５、５０６に対応するフレームから取得した画像に更新され表示される。
【００４８】
図６は、図５に示す画面構成に対応してシステム制御部１０３により実行される再生処理の手順を示すフローチャートである。
【００４９】
図４では、システム制御部１０３は、ステップＳ４１０の実行後にＳ４０８に進み、フレーム特定データ選択番号を表示、即ち表示更新を行っていた。これに対し、図６に示すフローでは、システム制御部１０３は、Ｓ４１０の実行後にＳ４０６に進み、フレーム特定データ選択番号に対応したサムネイル画像を取得する。そして、システム制御部１０３は、Ｓ４０７に進み、サムネイル画像を表示する。システム制御部１０３は、Ｓ４０８に進んでフレーム特定データ選択番号を表示する点は図４と同じである。つまり、サムネイル画像の再取得と再表示をする点が、図４に示すフロートは異なる。
【００５０】
図６に示すフローでは、フレーム特定データアイコンをクリックしてフレーム特定データを選択する際、サムネイル代表画像も連動して更新されるので、フレーム特定データの選択が更に容易になる。
【実施例３】
【００５１】
図７は、モニタ１１９に表示される更に別の画面構成例を示す。図７に示す例では、図５に示す例でのデータ番号５０４、５０５、５０６に対応する表示は、存在しない。その代わり、クリップ特定データアイコン７０１，７０２，７０３の機能が変更されている。すなわち、システム制御部１０３は、クリップ特定データアイコン７０１、７０２、７０３がクリック操作されてから設定時間内（例えば３秒間）のみ、クリップ特定データ選択番号を表示する。システム制御部１０３は、その設定時間内以外ではクリップ特定データ個数を表示する。つまり、クリップ特定データアイコンに対するクリック操作の有無により、表示する数値の内容を切り替える。一般的に言うと、特定の選択操作時にはクリップ特定データ選択番号を表示し、この特定の選択操作時以外にはクリップ特定データ個数を表示する。
【００５２】
クリップ特定データ選択番号の表示とクリップ特定データ個数の表示を切り替える際、文字の表示形態を変更する。例えば、クリップ特定データ選択番号を表示する時は、クリップ特定データ個数を表示する時に対して、２倍の大きさの文字で表示する。その他、表示文字の色を変更する、斜体文字にする、文字を点滅させる等、ユーザに表示内容が変更されたことを知らせる為に効果的な様々な文字の表示態様とすることができる。
【００５３】
特にノート型パーソナルコンピュータ等の場合、表示画面領域の面積がごく限られていることが多い。その様な場合に、表示態様を切り替えることにより、より少ない表示画面領域でユーザにより多くの情報を伝達できる。
【実施例４】
【００５４】
図８は、モニタ１１９に表示される更に別の画面構成例を示す。図８に示す例では、図７に示す例に対し、フレーム特定データボタン８０１が追加されている。
【００５５】
ユーザは、クリップを再生して内容を確認し、フレーム特定データマークを付加したいフレームで再生を停止する。例えば、サッカー等の球技スポーツの模様を記録した動画像データで得点場面に対してマークを付加したい場合、ユーザがクリップを再生しながら内容を目視確認し、得点場面となった画面で再生を停止する。この状態で、ユーザは、ユーザ操作部１０２のマウスクリック操作等により、フレーム特定データボタン８０１を押下する。フレーム特定データボタン８０１が押下されると、システム制御部１０３は、現在再生停止しているフレームに対してフレーム特定データマークを付加する。具体的には、図３に示すフレーム特定データ３０５のリストに、新たにフレーム特定データのエントリを追加する。そのエントリで設定されるタイムコードは、フレーム特定データボタン８０１が押下された時に再生停止していたフレームに対応するタイムコードである。
【００５６】
ユーザが自らの操作でフレーム特定データを付加するので、何箇所にフレーム特定データを付加したのかをユーザ自身の記憶と対応付けることが出来る。これにより、フレーム特定データ個数の表示が効果的となる。
【００５７】
ユーザ操作部１０２によるフレーム特定データのデータ番号の選択には、種々の方法がある。例えば、フレーム特定データアイコンに対して、マウスのクリックを１回行う度にデータ番号を１加算する。また、フレーム特定データアイコンに対してマウスクリックした状態でのマウスドラッグにより、マウスの移動量に比例した数値を変更量としてデータ番号に対して加減算する。マウスクリックなどによりフレーム特定データアイコンを選択状態とした後、マウスに付随するスクロールホイールの操作等により、そのスクロールホイールの操作量に比例した数値をデータ番号に対して加減算する。更には、マウスクリックなどによりフレーム特定データアイコンを選択状態とした後、キーボードから数値を直接入力することにより、データ番号を指定する。
【００５８】
本実施例は、動画像再生装置について記載したが、パーソナルコンピュータ等で実行される動画像再生プログラムとしても実現されうる。また、動画像再生装置と動画像記録装置が組み合わされた形態、例えばビデオカメラ等にて、本構成が組み込まれた形で実施しても良い。
【００５９】
上述した制御動作を実行する制御部１０３，１０４，１０７，１１７の機能は、単一のハードウエアで実現しても、複数のハードウエアが協調動作することで実現しても良いことはいうまでもない。
【００６０】
本発明は、動画像を再生する機能のみを有する装置のみならず、動画像記録再生装置や、コンピュータ上で動作する動画像再生プログラム及び動画像記録再生プログラムにも適用可能である。
【００６１】
本発明は、以下の処理を実行することによっても実現される。即ち、上述した実施形態の機能を実現するソフトウェア（プログラム）をネットワーク又は各種記憶媒体を介してシステム或いは装置に供給し、そのシステム或いは装置のコンピュータ（又はＣＰＵやＭＰＵ等）がプログラムコードを読み出して実行する処理である。この場合、そのプログラム、及び該プログラムを記憶した記憶媒体は本発明を構成することになる。
【００６２】
本発明をその好適な実施例に基づいて詳述してきたが、本発明はこれら特定の実施例に限られるものではなく、この発明の要旨を逸脱しない範囲の様々な形態も本発明に含まれる。さらに、上述した各実施例は本発明を説明するための一実施例を示すものにすぎず、各実施例を適宜組み合わせることも可能である。
【図１】
2014078912.tif 000003
【図２】
2014078912.tif 000004
【図３】
2014078912.tif 000005
【図４】
2014078912.tif 000006
【図５】
2014078912.tif 000007
【図６】
2014078912.tif 000008
【図７】
2014078912.tif 000009
【図８】
2014078912.tif 000010